(57)【特許請求の範囲】
【請求項１】
互いに直交する長手方向及び幅方向と、
前胴回り域、後胴回り域、及び前記前胴回り域及び前記後胴回り域との間に配置された股下域と、
前記後胴回り域に設けられ、前記幅方向に伸縮可能な後側伸縮領域と、
前記前胴回り域と前記後胴回り域との間を延び、前記幅方向における中心を挟んで両側に配置された一対の防漏カフと、を有する吸収性物品であって、
前記防漏カフの起立支点は、前記後胴回り域において、前記後側伸縮領域と厚さ方向で重なっており、
前記股下域における一対の前記防漏カフどうしの距離は、脚繰領域内の拡幅開始点から前記後胴回り域にかけて広がっており、
前記後胴回り域における一対の前記防漏カフどうしの距離は、前記前胴回り域における一対の前記防漏カフどうしの距離よりも長く、
前記前胴回り域に配置された前胴回り部材と、
前記後胴回り域に配置された後胴回り部材と、
前記前胴回り部材と前記後胴回り部材とに跨って配置され、吸収体を含み、前記前胴回り部材及び前記後胴回り部材とは別体の吸収性本体と、
前記幅方向における前記前胴回り域の端部と前記幅方向における前記後胴回り域の端部とを接合するサイド係止部と、を有し、
前記長手方向に延びる前記吸収性本体の側辺と、前記前胴回り部材の後側に位置する辺と、前記後胴回り部材の前側に位置する辺と、によって脚回り開口縁が規定されており、
前記防漏カフは、前記吸収性物品に設けられており、
前記後胴回り域における前記防漏カフの前記起立支点は、前記幅方向における前記吸収体の外側縁と前記サイド係止部の内側縁との間の距離の２／３以下の距離だけ、前記吸収体の前記外側縁よりも幅方向外側に位置し、前記幅方向における前記吸収体の前記外側縁と前記サイド係止部の内側縁との間の距離の１／３以上、前記吸収体の前記外側縁よりも外側に位置する、吸収性物品。
【請求項２】
互いに直交する長手方向及び幅方向と、
前胴回り域、後胴回り域、及び前記前胴回り域及び前記後胴回り域との間に配置された股下域と、
前記後胴回り域に設けられ、前記幅方向に伸縮可能な後側伸縮領域と、
前記前胴回り域と前記後胴回り域との間を延び、前記幅方向における中心を挟んで両側に配置された一対の防漏カフと、を有する吸収性物品であって、
前記防漏カフの起立支点は、前記後胴回り域において、前記後側伸縮領域と厚さ方向で重なっており、
前記股下域における一対の前記防漏カフどうしの距離は、脚繰領域内の拡幅開始点から前記後胴回り域にかけて広がっており、
前記後胴回り域における一対の前記防漏カフどうしの距離は、前記前胴回り域における一対の前記防漏カフどうしの距離よりも長く、
前記吸収性物品は、前記幅方向に沿って延びる折り線を基点に２つ折りされており、
前記拡幅開始点は、前記折り線よりも前側に設けられている、吸収性物品。
【請求項３】
互いに直交する長手方向及び幅方向と、
前胴回り域、後胴回り域、及び前記前胴回り域及び前記後胴回り域との間に配置された股下域と、
前記後胴回り域に設けられ、前記幅方向に伸縮可能な後側伸縮領域と、
前記前胴回り域と前記後胴回り域との間を延び、前記幅方向における中心を挟んで両側に配置された一対の防漏カフと、を有する吸収性物品であって、
前記防漏カフの起立支点は、前記後胴回り域において、前記後側伸縮領域と厚さ方向で重なっており、
前記股下域における一対の前記防漏カフどうしの距離は、脚繰領域内の拡幅開始点から前記後胴回り域にかけて広がっており、
前記後胴回り域における一対の前記防漏カフどうしの距離は、前記前胴回り域における一対の前記防漏カフどうしの距離よりも長く、
少なくとも前記股下域で前記幅方向に括れた吸収体を有し、
前記拡幅開始点は、前記吸収体の最狭部よりも後側に設けられている、吸収性物品。
【請求項４】
互いに直交する長手方向及び幅方向と、
前胴回り域、後胴回り域、及び前記前胴回り域及び前記後胴回り域との間に配置された股下域と、
前記後胴回り域に設けられ、前記幅方向に伸縮可能な後側伸縮領域と、
前記前胴回り域と前記後胴回り域との間を延び、前記幅方向における中心を挟んで両側に配置された一対の防漏カフと、を有する吸収性物品であって、
前記防漏カフの起立支点は、前記後胴回り域において、前記後側伸縮領域と厚さ方向で重なっており、
前記股下域における一対の前記防漏カフどうしの距離は、脚繰領域内の拡幅開始点から前記後胴回り域にかけて広がっており、
前記後胴回り域における一対の前記防漏カフどうしの距離は、前記前胴回り域における一対の前記防漏カフどうしの距離よりも長く、
一対の前記防漏カフの前記起立支点どうしの間の前記後胴回り域の収縮力は、一対の前記防漏カフの前記起立支点どうしの間の前記前胴回り域の収縮力よりも大きい、吸収性物品。
【請求項５】
互いに直交する長手方向及び幅方向と、
前胴回り域、後胴回り域、及び前記前胴回り域及び前記後胴回り域との間に配置された股下域と、
前記後胴回り域に設けられ、前記幅方向に伸縮可能な後側伸縮領域と、
前記前胴回り域と前記後胴回り域との間を延び、前記幅方向における中心を挟んで両側に配置された一対の防漏カフと、を有する吸収性物品であって、
前記防漏カフの起立支点は、前記後胴回り域において、前記後側伸縮領域と厚さ方向で重なっており、
前記股下域における一対の前記防漏カフどうしの距離は、脚繰領域内の拡幅開始点から前記後胴回り域にかけて広がっており、
前記後胴回り域における一対の前記防漏カフどうしの距離は、前記前胴回り域における一対の前記防漏カフどうしの距離よりも長く、
一対の前記防漏カフの前記起立支点どうしの間の前記前胴回り域の引張荷重は、一対の前記防漏カフの前記起立支点どうしの間の前記後胴回り域の引張荷重よりも小さい、吸収性物品。
【請求項６】
前記後胴回り域における一対の前記防漏カフどうしの前記距離は、前記幅方向における一対の前記防漏カフの前記起立支点どうしの距離によって規定される、請求項１から５のいずれか１項に記載の吸収性物品。
【請求項７】
前記後胴回り域における一対の前記防漏カフどうしの前記距離は、前記幅方向における一対の前記防漏カフの起立頂点どうしの距離によって規定される、請求項１から５のいずれか１項に記載の吸収性物品。
【請求項８】
前記吸収性物品は、前記幅方向に沿って延びる折り線を基点に２つ折りされており、
前記拡幅開始点は、前記折り線から３５ｍｍ前側から、前記折り線から５０ｍｍ後側の範囲内に設けられている、請求項１から７のいずれか１項に記載の吸収性物品。
【請求項９】
前記前胴回り域と前記後胴回り域とに跨って配置された吸収体を含み、
前記前胴回り域における一対の前記防漏カフの起立可能領域の前側縁が、吸収体の前側縁よりも前側に位置する、請求項１から８のいずれか１項に記載の吸収性物品。
【請求項１０】
前記吸収性物品は、前記幅方向に沿って延びる折り線を基点に２つ折りされており、
前記幅方向における前記前胴回り域及び前記後胴回り域の幅が伸張状態に対して６３％であるときに、前記折り線よりも後側における一対の前記防漏カフの少なくとも一部は、前記折り線よりも前側における脚回り開口縁よりも外側に位置する、請求項１から９のいずれか１項に記載の吸収性物品。
【請求項１１】
前記吸収性物品は、前記幅方向に沿って延びる折り線を基点に２つ折りされており、
前記幅方向における前記前胴回り域及び前記後胴回り域の幅が伸張状態に対して８５％であるときに、前記折り線よりも後側における一対の前記防漏カフの少なくとも一部は、前記折り線よりも前側における脚回り開口縁よりも外側に位置する、請求項１から１０のいずれか１項に記載の吸収性物品。
【請求項１２】
前記防漏カフの前記少なくとも一部は、前記起立支点を含む、請求項１０又は１１に記載の吸収性物品。
【請求項１３】
前記防漏カフの前記少なくとも一部は、前記防漏カフの起立頂点を含む、請求項１０又は１１に記載の吸収性物品。
【請求項１４】
前記幅方向における一対の前記防漏カフの外側の領域に、一対のギャザーを有し、
前記股下域における一対の前記ギャザーどうしの距離は、前記股下域の第２拡幅開始点から前記後胴回り域にかけて広がっており、
前記後胴回り域における一対の前記ギャザーどうしの距離は、前記前胴回り域における一対の前記ギャザーどうしの距離よりも長い、請求項１から１３のいずれか１項に記載の吸収性物品。
【発明の詳細な説明】
【技術分野】
【０００１】
本発明は、使い捨ておむつのような吸収性物品に関する。
【背景技術】
【０００２】
使い捨ておむつのような吸収性物品は、着用者の体液の漏れを抑制するため、立体ギャザー（防漏カフ）を備えることがある。吸収性物品の製造の容易性の観点から、通常、防漏カフは、長手方向に直線的に形成される（特許文献１）。【０００３】
また、防漏カフの起立頂点が前胴回り域において起立支点よりも幅方向の内側に位置し、後胴回り域において起立支点よりも幅方向の外側に位置するように、捩られた防漏カフを備えた吸収性物品も提案されている（特許文献２）。特許文献２において、防漏カフの起立支点は、股下域において概ね長手方向に直線的に形成されており、また防漏カフの起立頂点は股下域において吸収体の側縁の形状に沿って曲げられている。【０００４】
また、後胴回り域付近で防漏カフどうしの間の距離が広がった一対のカフを備えたおむつも開示されている（特許文献３）。
【先行技術文献】
【特許文献】
【０００５】
【特許文献１】国際公開第２０１５／０５６７１１号
【特許文献２】特開２００９−０５６１４１号公報
【特許文献３】国際公開第２０１５／２５７６０号
【発明の概要】
【０００６】
通常、防漏カフ間の距離は、着用者の一対の鼠径溝どうしの間の距離に応じて設計される。しかしながら、臀部の膨らみの頂点どうしの間の距離は、鼠径溝どうしの間の距離よりも広いため、鼠径溝どうしの間の距離に応じて設計された直線状の防漏カフは、臀部側の身体の形状に合わない。そのため、着用者が寝た姿勢において防漏カフが臀部に潰されたり、着用者の動きに応じて防漏カフの位置がずれ、防漏カフが臀部の亀裂に入りこんだりすることがある。その結果、着用者に違和感を与えたり、排泄物が漏れたりすることがある。
【０００７】
そこで、防漏カフの位置を安定させ、着用者に与える違和感を緩和し、防漏カフの位置ズレに伴う排泄物の漏れを抑制することができる吸収性物品が望まれる。
【０００８】
一態様に係る吸収性物品は、互いに直交する長手方向及び幅方向と、前胴回り域、後胴回り域、及び前記前胴回り域及び前記後胴回り域との間に配置された股下域と、前記後胴回り域に設けられ、前記幅方向に伸縮可能な後側伸縮領域と、前記前胴回り域と前記後胴回り域との間を延び、前記幅方向における中心を挟んで両側に配置された一対の防漏カフと、を有する吸収性物品であって、前記防漏カフの起立支点は、前記後胴回り域において、前記後側伸縮領域と厚さ方向で重なっており、前記股下域における一対の前記防漏カフどうしの距離は、脚繰領域内の拡幅開始点から前記後胴回り域にかけて広がっており、前記後胴回り域における一対の前記防漏カフどうしの距離は、前記前胴回り域における一対の前記防漏カフどうしの距離よりも長い。
【図面の簡単な説明】
【０００９】
【図１】一実施形態に係る吸収性物品の模式図である。
【図２】一実施形態に係る吸収性物品の展開平面図である。
【図３】図１のＡ−Ａ線に沿った吸収性物品の断面図である。
【図４】着用者の鼠径溝の位置を説明するための模式図である。
【図５】着用者の臀部と脚の境界線（肉割れ線）の位置を説明するための模式図である。
【図６】幅方向に伸張させた状態の吸収性物品の模式図である。
【発明を実施するための形態】
【００１０】
（１）実施形態の概要
本明細書及び添付図面の記載により、少なくとも以下の事項が明らかとなる。
【００１１】
一態様に係る吸収性物品は、互いに直交する長手方向及び幅方向と、前胴回り域、後胴回り域、及び前記前胴回り域及び前記後胴回り域との間に配置された股下域と、前記後胴回り域に設けられ、前記幅方向に伸縮可能な後側伸縮領域と、前記前胴回り域と前記後胴回り域との間を延び、前記幅方向における中心を挟んで両側に配置された一対の防漏カフと、を有し、前記防漏カフの起立支点は、前記後胴回り域において、前記後側伸縮領域と厚さ方向で重なっており、前記股下域における一対の前記防漏カフどうしの距離は、脚繰領域内の拡幅開始点から前記後胴回り域にかけて広がっており、前記後胴回り域における一対の前記防漏カフどうしの距離は、前記前胴回り域における一対の前記防漏カフどうしの距離よりも長い。
【００１２】
本態様によれば、体格の大きい着用者や体格の小さい着用者の体型に合わせて防漏カフどうしの間の距離を適切に広げることができるため、一対の防漏カフどうしの間の領域で臀部を覆い易くすることができる。さらに、防漏カフをなるべく臀部と脚の境界線（肉割れ線）に沿った位置に配置させることができ、防漏カフを鼠径溝から上記肉割れ線に移行させることができる。これにより、拡幅開始点よりも前側の領域（腹側の領域）においては吸収領域が狭くなりすぎないようにし、拡幅開始点よりも後側では防漏カフをなるべく臀部と脚の境界線（肉割れ線）に沿って配置させることができる。これにより特に臀部側での防漏カフの位置が安定し、着用者に与える違和感を緩和し、防漏カフの位置ズレに伴う排泄物の漏れを抑制することができる。
【００１３】
好ましい一態様によれば、吸収性物品は、前記前胴回り域に配置された前胴回り部材と、前記後胴回り域に配置された後胴回り部材と、前記前胴回り部材と前記後胴回り部材とに跨って配置され、吸収体を含み、前記前胴回り部材及び前記後胴回り部材とは別体の吸収性本体と、前記幅方向における前記前胴回り域の端部と前記幅方向における前記後胴回り域の端部とを接合するサイド係止部と、を有し、前記長手方向に延びる前記吸収性本体の側辺と、前記前胴回り部材の後側に位置する辺と、前記後胴回り部材の前側に位置する辺と、によって脚回り開口縁が規定されており、前記後胴回り域における前記防漏カフの前記起立支点は、前記幅方向における前記吸収体の外側縁と前記サイド係止部の内側縁との間の距離の２／３以下の距離だけ、前記吸収体の前記外側縁よりも幅方向外側に位置する。
【００１４】
本態様によれば、脚回り開口縁の長さを維持しつつ、防漏カフの伸縮性を阻害することを抑制することによって防漏カフを立ち上げ易くすることができる。
【００１５】
好ましい一態様によれば、前記後胴回り域における前記防漏カフの前記起立支点は、前記幅方向における前記吸収体の外側縁と前記サイド係止部の内側縁との間の距離の１／３以上、前記吸収体の外側縁よりも外側に位置する。
【００１６】
これにより、吸収体の剛性の高さのせいで防漏カフどうしの間の距離が広がり難くなることを抑制できる。詳細には、吸収性物品を幅方向に広げる際、伸び易い領域が最初に延びる。防漏カフの起立支点と吸収体との距離が長い方が、装着時の小さい力で防漏カフどうしの間の距離を簡単に広げることができる。したがって、前述したように脚回り開口縁の長さを維持しつつも、装着時に一対のカフにより臀部をより覆い易くすることができる。
【００１７】
好ましい一態様によれば、前記後胴回り域における一対の前記防漏カフどうしの前記距離は、前記幅方向における一対の前記防漏カフの前記起立支点どうしの距離によって規定される。
【００１８】
一対の防漏カフの起立支点どうしの距離は、排泄物を収容する収容スペースの大きさを規定する。この収容スペースが、拡幅開始点から後胴回り域にかけて広がっているため、後胴回り域において排泄物（特に糞便）が漏れ難くなる。
【００１９】
好ましい一態様によれば、前記後胴回り域における一対の前記防漏カフどうしの前記距離は、前記幅方向における一対の前記防漏カフの起立頂点どうしの距離によって規定される。
【００２０】
防漏カフの起立頂点どうしの距離が拡幅開始点から後胴回り域にかけて広がっているため、防漏カフの位置ずれにより防漏カフの起立頂点付近が臀部の割れ目に入り込むことを抑制することができる。これにより、特に臀部側での防漏カフの位置が安定し、着用者に与える違和感を緩和し、防漏カフの位置ズレに伴う排泄物の漏れを抑制することができる。
【００２１】
好ましい一態様によれば、前記吸収性物品は、前記幅方向に沿って延びる折り線を基点に２つ折りされており、前記拡幅開始点は、前記折り線から３５ｍｍ前側から、前記折り線から５０ｍｍ後側の範囲内に設けられている。
【００２２】
折り線から３５ｍｍ前側から、折り線から５０ｍｍ後側の範囲は、股下において鼠径溝Ｌ１から、臀部と脚の境界線（肉割れ線）Ｌ３へ移行する領域に相当する。特に、鼠径溝から上記肉割れ線へ移行する領域は、着用者の動作に応じて、吸収性物品の折り線ＦＬに対して前後に幅を持った領域に相当する。この領域で、一対の防漏カフどうしの距離を広げ始めることで、着用者の鼠径溝から、臀部と脚の境界線（肉割れ線）に合わせて一対の防漏カフの位置を適切に配置させることができる。これにより、着用者の違和感をより軽減し、排泄物の漏れをより抑制することができる。
【００２３】
好ましい一態様によれば、前記吸収性物品は、前記幅方向に沿って延びる折り線を基点に２つ折りされており、前記拡幅開始点は、前記折り線よりも前側に設けられている。
【００２４】
股下域が着用者の両脚によって挟まれたとしても、折り線が形成された領域は、幅方向に縮まりにくくなっている。したがって、折り線のところで広くされた防漏カフどうしの間の距離が、両脚に挟まれることによって過度に狭くなってしまうことを抑制することができる。
【００２５】
好ましい一態様によれば、吸収性物品は、少なくとも前記股下域で前記幅方向に括れた吸収体を有し、前記拡幅開始点は、前記吸収体の最狭部、又は前記最狭部よりも後側に設けられている。
【００２６】
吸収体の最狭部は、両脚によって挟まれ、装着時にもっとも吸収性物品の幅が狭くなる箇所に相当する。装着時に防漏カフの拡幅開始点が脚に挟み込まれることで、防漏カフの後胴回り領域側の端部に位置する固定端と拡幅開始点との間に引張力がかかり、臀部にフィットするように防漏カフが起立し易くなる。
【００２７】
好ましい一態様によれば、 一対の前記防漏カフの前記起立支点どうしの間の前記後胴回り域の収縮力は、前記一対の防漏カフの前記起立支点どうしの間の前記前胴回り域の収縮力よりも大きい。
【００２８】
一対の防漏カフの起立支点どうしの間の後胴回り域が幅方向に収縮し易いため、吸収性物品を広げて履いた後に、防漏カフが着用者の体型、具体的には後胴回り域での臀部と脚の境界線（肉割れ線）に合った位置に沿い易くなる。
【００２９】
好ましい一態様によれば、前記一対の防漏カフの前記起立支点どうしの間の前記前胴回り域の引張荷重は、前記一対の防漏カフの起立支点どうしの間の前記後胴回り域の引張荷重よりも小さい。
【００３０】
一対の防漏カフの起立支点どうしの間の前胴回り域が、幅方向に伸び易いため、吸収性物品を履かせる際により幅方向外側まで一対の防漏カフを引き伸ばすことができる。これにより、一対の防漏カフどうしの間の距離が短い前胴回り領域であっても、着用者の体型に合わせて適切に防漏カフを配置し易くなる。
【００３１】
好ましい一態様によれば、吸収性物品は、前記前胴回り部材と前記後胴回り部材とに跨って配置された吸収体を含み、前記前胴回り域における一対の前記防漏カフの起立可能領域の前側縁が、吸収体の前側縁よりも前側に位置する。
【００３２】
吸収体が配置されていない領域は小さい力でより幅方向に伸長させ易いので、前胴回り域において防漏カフどうしの間の距離がより広がり易くなる。したがって、一対の防漏カフどうしの間の距離が短い前胴回り領域であっても、着用者の体型に合わせて適切に防漏カフを配置し易くなる。
【００３３】
好ましい一態様によれば、前記吸収性物品は、前記幅方向に沿って延びる折り線を基点に２つ折りされており、前記幅方向における前記前胴回り域及び前記後胴回り域の幅が伸張状態に対して６３％であるときに、前記折り線よりも後側における一対の前記防漏カフの少なくとも一部は、前記折り線よりも前側における脚回り開口縁よりも外側に位置する。
【００３４】
前胴回り域及び前記後胴回り域の幅が伸長状態に対して６３％の状態、すなわち着用状態に近似する状態において、折り線よりも後側における一対の防漏カフの少なくとも一部が、当該折り線よりも前側における脚回り開口縁よりも外側に位置する。そのため、着用状態において防漏カフが臀部の外へ広がった状態を維持できるので、排泄物の漏れを抑制することができる。
【００３５】
好ましい一態様によれば、前記吸収性物品は、前記幅方向に沿って延びる折り線を基点に２つ折りされており、前記幅方向における前記前胴回り域及び前記後胴回り域の幅が伸張状態に対して８５％であるときに、前記折り線よりも後側における一対の前記防漏カフの少なくとも一部は、前記折り線よりも前側における脚回り開口縁よりも外側に位置する。
【００３６】
これにより、装着する際に吸収性物品を広げた状態において、防漏カフの少なくとも一部を脚回り開口縁から視認することができる。したがって、着用補助者は、防漏カフを容易に着用者の臀部の外側に配置させるように、着用者に吸収性物品を容易に着用させることができる。
【００３７】
好ましい一態様によれば、前記防漏カフの前記少なくとも一部は、前記起立支点を含む。これにより、着用状態においては、防漏カフが臀部の外へ広がった状態を維持でき、排泄物の漏れを抑制することができる。また、装着する際に吸収性物品を広げた状態においては、着用補助者は、防漏カフの起立支点を明確に認識しつつ、着用者に吸収性物品を履かせることができる。
【００３８】
好ましい一態様によれば、前記防漏カフの前記少なくとも一部は、前記防漏カフの起立頂点を含む。これにより、着用状態においては、防漏カフの起立頂点が臀部の亀裂内に入り込むことをより抑制することができる。また、装着する際に吸収性物品を広げた状態においては、着用補助者は、防漏カフの起立頂点を明確に認識しつつ、着用者に吸収性物品を履かせることができる。
【００３９】
好ましい一態様によれば、吸収性物品は、前記幅方向における一対の前記防漏カフの外側の領域に、一対のギャザーを有し、前記股下域における一対の前記ギャザーどうしの距離は、前記股下域の第２拡幅開始点から前記後胴回り域にかけて広がっており、前記後胴回り域における一対の前記ギャザーどうしの距離は、前記前胴回り域における一対の前記ギャザーどうしの距離よりも長い。これにより、一対のギャザーは、防漏カフと同様に着用者の体型（脚回り）に合わせて適切に配置し易くなる。
【００４０】
別の態様に係る吸収性物品は、互いに直交する長手方向及び幅方向と、前胴回り域、後胴回り域、及び前記前胴回り域及び前記後胴回り域との間に配置された股下域と、前記前胴回り域に配置された前胴回り部材と、前記後胴回り域に配置された後胴回り部材と、前記幅方向における前記前胴回り域の端部と前記幅方向における前記後胴回り域の端部とを接合するサイド係止部と、前記前胴回り部材と前記後胴回り部材とに跨って配置され、吸収体を含み、前記前胴回り部材及び前記後胴回り部材とは別体の吸収性本体と、前記後胴回り域に設けられ、前記幅方向に伸縮可能な後側伸縮領域と、前記前胴回り域と前記後胴回り域との間を延び、前記幅方向における中心を挟んで両側に配置された一対の防漏カフと、を有し、前記長手方向に延びる前記吸収性本体の側辺と、前記前胴回り部材の後側に位置する辺と、前記後胴回り部材の前側に位置する辺と、によって脚回り開口縁が規定されており、前記防漏カフの起立支点は、前記後胴回り域において、前記後側伸縮領域と厚さ方向で重なっており、前記後胴回り域における一対の前記防漏カフどうしの距離は、前記前胴回り域における一対の前記防漏カフどうしの距離よりも長く、前記後胴回り域における前記防漏カフの前記起立支点は、前記幅方向における前記吸収体の外側縁と前記サイド係止部の内側縁との間の距離の２／３以下の距離だけ、前記吸収体の前記外側縁よりも外側に位置する。
【００４１】
本態様によれば、体格の大きい着用者や体格の小さい着用者の体型に合わせて防漏カフどうしの間の距離を適切に広げることができるため、一対の防漏カフどうしの間の領域で臀部を覆い易くすることができる。さらに、脚回り開口縁の長さを維持しつつ、防漏カフの伸縮性を阻害することを抑制することによって防漏カフを立ち上げ易くすることができる。
【００４２】
（２）吸収性物品の構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００４３】
図１は、第１実施形態に係る吸収性物品の模式図である。図１は、後述するサイド係止部を展開した状態において吸収性物品を皺が形成されない状態まで伸長させた伸長状態を示している。図２は、図１のＡ−Ａ線に沿った吸収性物品の断面図である。図２は、第１実施形態に係る吸収性物品の展開平面図である。図３は、図１のＡ−Ａ線に沿った吸収性物品の断面図である。本実施形態に係る吸収性物品は、使い捨ておむつ、ショーツ型ナプキン、又は失禁用パンツのような吸収性物品であってよい。
【００４４】
吸収性物品１０は、互いに直交する長手方向Ｌ及び幅方向Ｗを有する。長手方向Ｌは、身体前側と身体後側とに延びる方向によって規定される。言い換えると、長手方向Ｌは、展開された吸収性物品１０において前後に延びる方向である。また、吸収性物品１０は、長手方向Ｌと幅方向Ｗの両方の直交する厚み方向Ｔを有する。
【００４５】
吸収性物品１０は、前胴回り域Ｓ１と、後胴回り域Ｓ２と、股下域Ｓ３と、を有する。前胴回り域Ｓ１は、着用者の前胴回りに対向する領域である。後胴回り域Ｓ２は、着用者の後胴回りに対向する領域である。股下域Ｓ３は、着用者の股下に位置し、前胴回り域Ｓ１と後胴回り域Ｓ２との間に配置された領域である。
【００４６】
本実施形態では、吸収性物品１０は、前胴回り部材２０と、後胴回り部材３０と、吸収性本体４０と、を有していてよい。前胴回り部材２０は、前胴回り域Ｓ１に配置されている。後胴回り部材３０は、後胴回り域Ｓ２に配置されている。前胴回り部材２０及び後胴回り部材３０は、例えば不織布のようなシートから構成されていてよい。
【００４７】
吸収性物品１０を前後に二分する折り線ＦＬが股下域Ｓ３を通っていてよい。折り線ＦＬは、幅方向Ｗに沿って延びている。すなわち、図１に示す状態において、吸収性物品１０は、幅方向Ｗに沿って延びる折り線ＦＬを基点に２つ折りされている。
【００４８】
幅方向Ｗにおける前胴回り域Ｓ１の端部と、幅方向Ｗにおける後胴回り域Ｓ２の端部とに、サイド係止部６０が設けられていてよい。サイド係止部６０は、幅方向Ｗにおける前胴回域Ｓ１の端部と、幅方向Ｗにおける後胴回り域Ｓ２の端部とを互いに係止した部分によって規定される。
【００４９】
幅方向Ｗにおける前胴回り域Ｓ１の端部と、幅方向Ｗにおける後胴回り域Ｓ２の端部とが、サイド係止部６０によって係止された状態で、吸収性物品１０には、着用者の胴が通される胴回り開口部６２と、着用者の脚がそれぞれ挿入される一対の脚回り開口部６６と、が形成される。胴回り開口部６２を形成する胴回り開口縁６４は、前胴回り部材２０の前側縁と、後胴回り部材３０の後側縁とによって規定されていてよい。また、脚回り開口部６６を形成する脚回り開口縁６８は、長手方向Ｌに延びる吸収性本体４０の側辺４０ｌと、前胴回り部材２０の後側に位置する辺２０ｌと、後胴回り部材３０の前側に位置する辺３０ｌと、によって規定されていてよい。
【００５０】
ここで、図２は、サイド係止部６０における係止を解除し、吸収性物品１０を展開した状態を示している。サイド係止部６０は、前胴回り部材２０及び後胴回り部材３０のそれぞれにおいて、長手方向Ｌに沿って延びていてよい。この場合、前胴回り域Ｓ１と股下域Ｓ３との境界は、前胴回り部材２０に設けられたサイド係止部６０の後側縁によって規定されていてよい。同様に、後胴回り域Ｓ２と股下域Ｓ３との境界は、後胴回り部材３０に設けられたサイド係止部６０の前側縁によって規定されていてよい。
【００５１】
後胴回り域Ｓ２には、幅方向Ｗに伸縮可能な後側伸縮領域３２が形成されていてよい。後側伸縮領域３２は、例えば、幅方向Ｗに伸縮可能な糸ゴム、又は幅方向Ｗに伸縮可能な弾性シートによって構成されていてよい。この代わりに、後側伸縮領域３２は、例えば伸縮可能なシートにより構成された後胴回り部材３０自体によって構成されていてもよい。
【００５２】
前胴回り域Ｓ１には、幅方向Ｗに伸縮可能な前側伸縮領域２２が形成されていてよい。前側伸縮領域２２は、例えば、幅方向Ｗに伸縮可能な糸ゴム、又は幅方向Ｗに伸縮可能な弾性シートによって構成されていてよい。この代わりに、前側伸縮領域２２は、例えば伸縮可能なシートにより構成された前胴回り部材２０自体によって構成されていてもよい。
【００５３】
吸収性本体４０は、前胴回り部材２０と後胴回り部材３０とに跨って配置されている。すなわち、吸収性本体４０は、前胴回り域Ｓ１、後胴回り域Ｓ２及び股下域Ｓ３にわたって延びている。
【００５４】
吸収性本体４０は、前胴回り部材２０及び後胴回り部材３０とは別体として構成されていてよい。この場合、吸収性本体４０は、前胴回り域Ｓ１及び後胴回り域Ｓ２において、それぞれ前胴回り部材２０及び後胴回り部材３０と接合されていてよい。
【００５５】
吸収性本体４０は、少なくとも吸収体５０を含んでいる。さらに、吸収性本体４０は、吸収体５０の肌面側に位置する肌面シート４１と、吸収体５０の非肌面側に位置する非肌面シート４２と、を有していてよい。肌面シート４１は、吸収体５０の肌面側で吸収体５０を覆っていてよい。非肌面シート４２は、吸収体５０の非肌面側で吸収体５０を覆っていてよい。
【００５６】
肌面シート４１は、例えば不織布や開孔プラスチックフィルムのような透液性シートによって構成されていてよい。肌面シート４１は、１枚のシートから構成されていてもよい。この代わりに、肌面シート４１は、複数枚のシートが互いに積層された積層シートから構成されていてもよい。
【００５７】
非肌面シート４２は、不透液性のシートを含んでいてよい。非肌面シート４２は、１枚のシートから構成されていてもよい。この代わりに、非肌面シート４２は、複数枚のシートが互いに積層された積層シートから構成されていてもよい。この場合、複数枚のシートのうちの少なくとも１枚が不透液性を有していてよい。
【００５８】
吸収性本体４０は、幅方向Ｗにおける肌面シート４１の両側部を覆うサイドシート４３を有していてもよい。サイドシート４３は、例えば不織布や開孔プラスチックフィルムのようなシートによって構成されていてよい。
【００５９】
吸収体５０は、少なくとも股下域Ｓ３に配置されている。好ましくは、吸収体５０は、長手方向Ｌにおいて、前胴回り域Ｓ１から後胴回り域Ｓ２にわたって延びていてよい。
【００６０】
吸収体５０は、少なくとも股下域Ｓ３で幅方向Ｗに括れていてよい。すなわち、幅方向Ｗにおける吸収体５０の最狭部が、股下域Ｓ３に設けられていてよい。この場合、折り線ＦＷが吸収体５０の最狭部を通っていてよい。
【００６１】
吸収体５０は、吸収コアと、吸収コアを包むコアラップと、を含んでいてよい。吸収コアは、例えば粉砕パルプもしくは高吸収性ポリマー（ＳＡＰ）、又はこれらの混合物を含んでいてよい。コアラップは、例えばティッシュ又は薄葉紙により構成されていてよい。
【００６２】
吸収性本体４０は、一対の防漏カフ４６を有していてよい。一対の防漏カフ４６は、前胴回り域Ｓ１と後胴回り域Ｓ２との間を延びており、幅方向Ｗにおける吸収性物品１０の中心を挟んで両側に配置されている。一対の防漏カフ４６は、着用者の肌に向かって立ち上がり可能に構成されている。
【００６３】
防漏カフ４６は、サイドシート４３と、サイドシート４３に設けられた第１弾性部材４７と、によって構成されていてよい。第１弾性部材４７は、１本又は複数本の糸ゴムを含んでいてよい。具体的一例として、幅方向Ｗにおけるサイドシート４３の内側部分は外側に折り返されており、サイドシートの折り返された部分に第１弾性部材４７が配置されている。また、幅方向Ｗにおけるサイドシート４３の内側縁は、肌面シート４１に接合されておらず、肌面シート４１から立ち上がり可能な自由端を構成する。
【００６４】
防漏カフ４６は、起立支点４６ａ及び起立頂点４６ｂを有する。起立支点４６ａ及び起立頂点４６ｂは、前胴回り域Ｓ１から後胴回り域Ｓ２にわたって長手方向Ｌに延びている。
【００６５】
起立支点４６ａは、起立しない点であり、防漏カフ４６の根本に相当する。本実施形態では、起立支点４６ａは、サイドシート４３と肌面シート４１の接合部Ｒのうちの幅方向Ｗの内側の縁線に相当する。接合部Ｒは、前胴回り域Ｓ１から後胴回り域Ｓ２にわたって長手方向Ｌに延びていてよい。
【００６６】
後胴回り域Ｓ２において、防漏カフ４６の起立可能領域Ｂに長手方向Ｌに隣接して第１固定端Ｒｅ１が設けられていてよい。第１固定端Ｒｅ１は、サイドシート４３と肌面シート４１との接合部Ｒの一部により構成されていてよい。同様に、前胴回り域Ｓ１において、防漏カフ４６の起立可能領域Ｂに長手方向Ｌに隣接して第２固定端Ｒｅ２が設けられていてよい。第２固定端Ｒｅは、サイドシート４３と肌面シート４１との接合部Ｒの一部により構成されていてよい。長手方向Ｌにおける防漏カフ４６の起立可能領は、第１固定端Ｒｅ１と第２固定端Ｒｅ２との間に位置する。
【００６７】
起立頂点４６ｂは、防漏カフ４６が立ち上がったときの防漏カフ４６の頂点に相当する。すなわち、起立頂点４６ｂは、防漏カフ４６の自由端である。したがって、防漏カフ４６は、起立支点４６ａから起立頂点４６ｂに向かって立ち上がるように構成されている。
【００６８】
本実施形態では、起立頂点４６ｂは、幅方向Ｗにおいて起立支点４６ａよりも内側に位置する。この代わりに、起立頂点４６ｂは、幅方向Ｗにおいて起立支点４６ａよりも外側に位置していてもよい。
【００６９】
防漏カフ４６の起立支点４６ａは、後胴回り域Ｓ２において、後側伸縮領域３２と厚さ方向Ｔで重なっている。この場合、吸収性物品１０は、幅方向Ｗ外側に引っ張った状態で着用者に装着されるため、装着時に後胴回り域Ｓ２において一対の防漏カフ４６間の距離が広がる。そのため、体格の大きい着用者や体格の小さい着用者の体型に合わせて防漏カフ４６どうしの間の距離を適切に広げることができるため、一対の防漏カフ４６どうしの間の領域で臀部を覆い易くすることができる。
【００７０】
股下域Ｓ３における一対の防漏カフ４６どうしの距離は、脚繰領域Ｓ３１内の拡幅開始点４６ｃから後胴回り域Ｓ２にかけて広がっている。後胴回り域Ｓ２における一対の防漏カフ４６どうしの距離は、前胴回り域Ｓ１における一対の防漏カフ４６どうしの距離よりも長い。
【００７１】
ここで、拡幅開始点４６ｃは、長手方向Ｌの前方から後方に向かう方向に関する一対の防漏カフ４６どうしの距離の増加率が増加する点、すなわち変曲点に相当する。例えば、拡幅開始点４６ｃは、長手方向Ｌの前方から後方に向かうにつれて、一対の防漏カフ４６どうしの距離が広がり始める点であってもよい。また、拡幅開始点４６ｃは、一対の防漏カフ４６どうしの距離が所定の増加率で広がっている領域から、一対の防漏カフ４６どうしの距離が当該所定の増加率よりも高い増加率で広がり始める点であってもよい。
【００７２】
脚繰領域Ｓ３１は、股下域Ｓ３において、着用者の脚から内側へ向かう圧を受ける領域である。脚繰領域Ｓ３１は、例えば、折り線ＦＬから前側及び後側に、それぞれ長手方向Ｌにおける股下域Ｓ３の長さの４０％の長さに相当する領域によって規定される。すなわち、長手方向Ｌにおける脚繰領域Ｓ３１の長さは、長手方向Ｌにおける股下域Ｓ３の長さの８０％に相当する。
【００７３】
ここで、図４及び図５を参照し、着用者の身体の部位と吸収性物品１０の防漏カフ４６の位置との関係を説明する。図４は、着用者の鼠径溝の位置を説明するための模式図であり、着用者の正面を示している。図５は、着用者の臀部と脚の境界線（肉割れ線）の位置を説明するための模式図である。
【００７４】
鼠径溝Ｌ１は、着用者の下肢と腹部との境界に位置する。股下において一対の鼠径溝Ｌ１は、互いに距離Ｌ２をおいて配置されている。股下における鼠径溝Ｌ１を真っ直ぐ後側（背側）に延ばした仮想線Ｌ４が、図５に示されている。この仮想線Ｌ４は、着用者の臀部側では、臀部と脚の境界線（肉割れ線）Ｌ３よりも幅方向Ｗの内側を通る。したがって、仮に一対の防漏カフ４６間の距離が股下における鼠径溝Ｌ１どうしの間の距離Ｌ２に合わせて設計され、かつ一対の防漏カフ４６が長手方向Ｌに真っ直ぐ延びているとすると、一対の防漏カフ４６は、臀部側において仮想線Ｌ３上を通ることになる。
【００７５】
本実施形態では、股下域Ｓ３における一対の防漏カフ４６どうしの距離が脚繰領域Ｓ３１内の拡幅開始点４６ｃから後胴回り域Ｓ２にかけて広がっており、かつ後胴回り域Ｓ２における一対の防漏カフ４６どうしの距離が前胴回り域Ｓ１における一対の防漏カフ４６どうしの距離よりも長い。鼠径溝Ｌ１と肉割れ線Ｌ３との境界は股下の足繰りに存在するため、股下域Ｓ３の脚繰領域Ｓ３１内に防漏カフ４６間の距離が広がる拡幅開始点４６ｃを設けることで、防漏カフ４６を鼠径溝Ｌ１から肉割れ線Ｌ３へ移行させることができる。これにより、後胴回り域Ｓ２においても防漏カフ４６をなるべく肉割れ線Ｌ３に沿った位置に配置させることができる。
【００７６】
防漏カフ４６は、着用者の腹側で鼠径溝Ｌ１に沿わせ、背側（臀部側）では肉割れ線Ｌ３に沿わせることによって安定した位置に維持され易い。これにより特に臀部側での防漏カフ４６の位置が安定し、着用者に与える違和感を緩和し、防漏カフの位置ズレに伴う排泄物の漏れを抑制することができる。
【００７７】
拡幅開始点４６ｃは、折り線ＦＬから３５ｍｍ前側から、折り線ＦＬから５０ｍｍ後側の範囲内に設けられていることが好ましい。この範囲は、股下において鼠径溝Ｌ１から、臀部と脚の境界線（肉割れ線）Ｌ３へ移行する領域に相当する。また、鼠径溝Ｌ１から肉割れ線Ｌ３へ移行する領域は、着用者の動作に応じて、吸収性物品１０の折り線ＦＬに対して前後に幅を持った領域に相当する。この領域で、一対の防漏カフ４６どうしの距離を広げ始めることで、着用者の鼠径溝Ｌ１から、臀部と脚の境界線（肉割れ線）Ｌ３に合わせて一対の防漏カフ４６の位置を適切に配置させることができる。これにより、着用者の違和感をより軽減し、排泄物の漏れをより抑制することができる。
【００７８】
拡幅開始点４６ｃは、折り線ＦＬよりも前側に設けられていることがより好ましい。さらに好ましくは、拡幅開始点４６ｃは、折り線ＦＬから３５ｍｍ前側の位置から、折り線ＦＬから１０ｍｍ前側の位置の範囲内に設けられている。これにより、一対の防漏カフ４６どうしの距離は股下に位置する折り線ＦＬよりも前側から広がり始める。ここで、着用者が前屈した姿勢において、着用者の鼠径溝Ｌ１から、臀部と脚の境界線（肉割れ線）Ｌ３に移行する領域は、折り線ＦＬよりも前側に位置する。したがって、防漏カフ４６の拡幅開始点４６ｃが折り線ＦＬよりも前側に位置することで、着用者が前屈した姿勢においても、防漏カフ４６を腹側では鼠径溝Ｌ１に沿わせ、背側では臀部と脚の境界線（肉割れ線）Ｌ３に沿わせることができる。
【００７９】
さらに、拡幅開始点４６ｃが折り線Ｆｌよりも前側に設けられていると、防漏カフ４６どうしの間の距離は折り線ＦＬのところで広くなっている。ここで、幅方向Ｗに沿った折り線ＦＬが形成された領域の幅方向Ｗにおける剛性は、折り線ＦＬを有しない領域の剛性よりも高くなっている。そのため、股下域が着用者の両脚によって挟まれたとしても、折り線ＦＬが形成された領域は、幅方向Ｗに縮まり難くなっている。したがって、折り線ＦＬのところで広くされた防漏カフ４６どうしの間の距離が、両脚に挟まれることによって過度に狭くなってしまうことを抑制することができる。
【００８０】
拡幅開始点４６ｃは、吸収体５０の最狭部、又は最狭部よりも後側に設けられていることがより好ましい。吸収体５０の最狭部は、両脚によって挟まれ、装着時にもっとも吸収性物品１０の幅が狭くなる箇所に相当する。装着時に防漏カフ４６の拡幅開始点４６ｃが脚に挟み込まれることで、防漏カフの後胴回り領域側の端部に位置する固定端Ｒｅと拡幅開始点４６ｃとの間に引張力がかかり、臀部にフィットするように防漏カフ４６が起立し易くなる。
【００８１】
防漏カフ４６の起立支点４６ａ及び起立頂点４６ｂは、拡幅開始点４６ｃから後胴回り域Ｓ２にわたって直線的に延びていてもよいし、湾曲していてもよい。一対の防漏カフ４６どうしの間の距離は、拡幅開始点４６ｃから後胴回り域Ｓ２にわたって徐々に大きくなっていてよい。
【００８２】
後胴回り域Ｓ２における一対の防漏カフ４６どうしの距離は、幅方向Ｗにおける一対の防漏カフ４６の起立支点４６ａどうしの距離によって規定されていてもよい。一対の防漏カフ４６の起立支点４６ａどうしの距離は、排泄物を収容する収容スペースの大きさを規定する。この収容スペースが、拡幅開始点４６ｃから後胴回り域Ｓ２にかけて広がっているため、後胴回り域Ｓ２において排泄物（特に糞便）が漏れ難くなる。
【００８３】
この代わりに、後胴回り域Ｓ２における一対の防漏カフ４６どうしの距離は、幅方向Ｗにおける一対の防漏カフ４６の起立頂点４６ｂどうしの距離によって規定されていてもよい。防漏カフ４６の起立頂点４６ｂどうしの距離が拡幅開始点４６ｃから後胴回り域Ｓ３にかけて広がっているため、防漏カフ４６の位置ずれにより防漏カフ４６の起立頂点４６ｃ付近が臀部の割れ目に入り込むことを抑制することができる。これにより、特に臀部側での防漏カフ４６の位置が安定し、着用者に与える違和感を緩和し、防漏カフ４６の位置ズレに伴う排泄物の漏れを抑制することができる。
【００８４】
後胴回り域Ｓ２における防漏カフ４６の起立支点４６ａは、幅方向Ｗにおける吸収体５０の外側縁とサイド係止部６０の内側縁との間の距離の好ましくは２／３、より好ましくは１／２以下の距離だけ、吸収体５０の外側縁よりも幅方向Ｗ外側に位置していてよい。これにより、防漏カフ４６をサイド係止部６０の幅方向Ｗの内側縁に近づけ過ぎず、かつ吸収体５０に近づけ過ぎないようバランスを取ることができる。
【００８５】
防漏カフ４６をサイド係止部６０の幅方向Ｗの内側縁に近づけ過ぎないことにより、長手方向Ｌに延びる吸収性本体４０の側辺４０ｌと、前胴回り部材２０の後側に位置する辺２０ｌと、後胴回り部材３０の前側に位置する辺３０ｌと、によって規定される脚回り開口縁６８の長さを維持することができる。さらに、防漏カフ４６を相対的に剛性の高い吸収体５０に近づけ過ぎないことにより、防漏カフ４６の伸縮性を阻害することを抑制し、防漏カフ４６を立ち上げ易くすることができる。
【００８６】
また、後胴回り域Ｓ３における防漏カフ４６の起立支点４６ａは、幅方向Ｗにおける吸収体５０の外側縁とサイド係止部６０の内側縁との間の距離の１／３以上、吸収体５０の外側縁よりも外側に位置することが好ましい。これにより、吸収体５０の剛性の高さのせいで防漏カフ４６どうしの間の距離が広がり難くなることを抑制できる。
【００８７】
詳細には、吸収性物品１０を幅方向Ｗに広げる際、伸び易い領域が最初に延びる。防漏カフ４６の起立支点４６ａと吸収体５０との距離が長い方が、装着時の小さい力で防漏カフ４６どうしの間の距離を簡単に広げることができる。したがって、前述したように脚回り開口縁６８の長さを維持しつつも、装着時に一対のカフ４６により臀部をより覆い易くすることができる。
【００８８】
前胴回り域Ｓ１における一対の防漏カフ４６の起立可能領域Ｂの前側縁は、吸収体５０の前側縁よりも前側に位置することが好ましい。これにより、一対の防漏カフ４６の起立可能領域Ｂを吸収体５０から離すことができる。吸収体５０が配置されていない領域は小さい力でより幅方向Ｗに伸長させ易いので、装着時に前胴回り域Ｓ１において防漏カフ４６どうしの間の距離がより広がり易くなる。したがって、一対の防漏カフ４６どうしの間の距離が短い前胴回り領域Ｓ１であっても、着用者の体型に合わせて適切に防漏カフ４６を配置し易くなる。
【００８９】
図６は、前胴回り域Ｓ１及び前記後胴回り域Ｓ２を幅方向に伸張させた状態の吸収性物品の模式図である。吸収性物品１０は、着用者に着用されている間、自然状態からある程度伸張した着用状態となっている。この着用状態において、幅方向Ｗにおける前胴回り域Ｓ１及び前記後胴回り域Ｓ２の幅は、吸収性物品１０の皺がなくなるまで伸張させた伸張状態に対しておよそ６３％程度の長さになる。また、吸収性物品１０は、着用者に装着させる際に、幅方向Ｗに引っ張られつつ着用者の脚及び腰に履かせられる。装着する際に吸収性物品を広げた状態において、幅方向Ｗにおける前胴回り域Ｓ１及び前記後胴回り域Ｓ２の幅は、吸収性物品１０の皺がなくなるまで伸張させた伸張状態に対しておよそ８５％程度の長さになる。
【００９０】
幅方向Ｗにおける前胴回り域Ｓ１及び前記後胴回り域Ｓ２の幅が伸張状態に対して６３％であるときに、折り線ＦＬよりも後側における一対の防漏カフ４６の少なくとも一部は、折り線ＦＬよりも前側における脚回り開口縁６８よりも外側に位置することが好ましい。前胴回り域Ｓ１及び前記後胴回り域Ｓ２の幅が伸長状態に対して６３％の状態、すなわち着用状態に近似する状態において、折り線ＦＬよりも後側における一対の防漏カフ４６の少なくとも一部が、当該折り線よりも前側における脚回り開口縁よりも外側に位置する（図６参照）。そのため、着用状態において防漏カフ４６が臀部の外へ広がった状態を維持できるので、排泄物の漏れを抑制することができる。
【００９１】
上記の着用状態に近似する状態において折り線ＦＬよりも前側における脚回り開口縁６８よりも外側に位置する防漏カフ４６の上記少なくとも一部は、好ましくは起立支点４６ｃを含み、より好ましくは起立頂点４６ｂを含む。起立支点４６ｃは、排泄物の収容スペースを規定するため、着用状態において防漏カフ４６が臀部の外へ広がった状態を維持でき、排泄物の漏れを抑制することができる。また、起立頂点４６ｂが折り線ＦＬよりも前側における脚回り開口縁６８よりも外側に位置する場合には、防漏カフ４６の起立頂点４６ｂが臀部の亀裂内に入り込むことをより抑制することができる。
【００９２】
幅方向Ｗにおける前胴回り域Ｓ１及び前記後胴回り域Ｓ２の幅が伸張状態に対して８５％であるときに、折り線ＦＬよりも後側における一対の防漏カフ４６の少なくとも一部は、折り線ＦＬよりも前側における脚回り開口縁６８よりも外側に位置することが好ましい。
【００９３】
前胴回り域Ｓ１及び前記後胴回り域Ｓ２の幅が伸長状態に対して８５％の状態、すなわち装着する際に吸収性物品１０を広げた状態において、防漏カフ４６の少なくとも一部を脚回り開口縁６８から視認することができる。これにより、着用補助者は、防漏カフ４６を容易に着用者の臀部の外側に配置させるように、着用者に吸収性物品１０を容易に着用させることができる。
【００９４】
装着する際に吸収性物品１０を広げた状態において折り線ＦＬよりも前側における脚回り開口縁６８よりも外側に位置する防漏カフ４６の前記少なくとも一部は、好ましくは起立支点４６ａを含み、より好ましくは起立頂点４６ｂを含む。これにより、着用補助者は、防漏カフ４６の起立支点４６ａ又は起立頂点４６ｂを明確に認識しつつ、着用者に吸収性物品１０を履かせることができるため、防漏カフ４６を容易に着用者の臀部の外側に配置させるようにすることができる。
【００９５】
一対の防漏カフ４６の起立支点４６ａどうしの間の後胴回り域Ｓ２の収縮力は、一対の防漏カフ４６の起立支点４６ａどうしの間の前胴回り域Ｓ１の収縮力よりも大きいことが好ましい。一対の防漏カフ４６の起立支点４６ａどうしの間の後胴回り域Ｓ２が幅方向Ｗに収縮し易いため、吸収性物品１０を広げて履いた後に、後胴回り域Ｓ２における防漏カフ４６どうしの間の距離が幅方向Ｗに短くなり、防漏カフ４６が着用者の体型、具体的には後胴回り域での臀部と脚の境界線（肉割れ線）Ｌ３に合った位置に沿い易くなる。
【００９６】
一対の防漏カフ４６の起立支点４６ａどうしの間の前胴回り域Ｓ１の引張荷重は、一対の防漏カフ４６ａの起立支点４６ａどうしの間の後胴回り域Ｓ２の引張荷重よりも小さいことが好ましい。これにより、一対の防漏カフ４６の起立支点４６ａどうしの間の前胴回り域Ｓ１が、幅方向Ｗに伸び易いため、吸収性物品１０を履かせる際により幅方向外側まで一対の防漏カフ４６を引き伸ばすことができる。これにより、一対の防漏カフ４６どうしの間の距離が短い前胴回り領域Ｓ１であっても、着用者の体型に合わせて適切に防漏カフ４６を配置し易くなる。
【００９７】
本実施形態において、前胴回り域Ｓ１及び後胴回り域Ｓ２の「収縮力」と、前胴回り域Ｓ１及び後胴回り域Ｓ２の引張荷重は、以下の方法によって測定される。まず、吸収性物品１０がサイド係止部６０を有する場合には、サイド係止部６０を解除し、吸収性物品１０を展開する。次に、前胴回り域Ｓ１の後側縁よりも２ｍｍ後方又は後胴回り域Ｓ２の前側縁よりも２ｍｍ前方の位置で、前胴回り域Ｓ１又は後胴回り域Ｓ２を幅方向Ｗに沿って切断する。この際に、前胴回り域Ｓ１又は後胴回り域Ｓ２から股下域Ｓ３にかけて延びる弾性部材４７，４９が存在する場合、前胴回り域Ｓ１の後側縁よりも２ｍｍ後方又は後胴回り域Ｓ２の前側縁よりも２ｍｍ前方の位置で、弾性部材４７，４９をシートごと切断する。この際に、前側伸縮領域２２及び後側伸縮領域３２に配置された弾性部材を切断しないようにする。次に、前側伸縮領域２２又は後側伸縮領域３２の幅方向Ｗにおける両端部を引張試験器（INSTRON社製、INSTRON、型式  5564）のチャック（挟持具）によって挟持する。チャックは、前側伸縮領域２２又は後側伸縮領域３２のサイド係止部６０を掴むようにする。なお、初期のチャック間の距離は１００ｍｍとしておく。
【００９８】
次に、幅方向Ｗにおけるチャックの一方を固定した状態で、チャック間の距離を変えるようにチャックのもう一方を往復移動させる。このときのチャックの移動スピードは、３００ｍｍ／ｍｉｎとする。なお、初めにチャック間の距離を広げ始め、前胴回り域Ｓ１又は後胴回り域Ｓ２のチャック間の領域の幅が伸張状態に対して９５％になるまでチャック間の距離を広げた時点でチャック間の距離を狭くし始める。さらに、チャック間の距離が１００ｍｍに戻ったら、試験を終了する。ここで、伸張状態は、前胴回り域Ｓ１又は後胴回り域Ｓ２の皺がなくなるまで、前胴回り域Ｓ１又は後胴回り域Ｓ２を幅方向Ｗの外側へ伸長させた状態である。
【００９９】
チャック間の距離を広げている最中であって前胴回り域Ｓ１又は後胴回り域Ｓ２のチャック間の領域の幅が伸張状態に対して６３％のときに得られたチャックに係る応力を「収縮力」と定義する。一方、チャック間の距離を狭くしている最中であって前胴回り域Ｓ１又は後胴回り域Ｓ２のチャック間の領域の幅が伸張状態に対して６３％のときに得られた応力を「引張荷重」と定義する。
【０１００】
吸収性本体４０は、幅方向Ｗにおける一対の防漏カフ４６の外側の領域に、一対のギャザー４８を有していてもよい。一対のギャザー４８は、前胴回り域Ｓ１から後胴回り域Ｓ２にわたって長手方向Ｌに延びていてよい。
【０１０１】
本実施形態では、一対のギャザー４８は、吸収性本体４０を構成するシートに取り付けられた第２弾性部材４９によって構成される。第２弾性部材４９は、例えば１本又は複数本の糸ゴムであってよい。この代わりに、第２弾性部材４９は、例えば伸縮性を有する弾性シートであってもよい。第２弾性部材４９は、自然状態から伸張した状態で吸収性本体４０を構成するシートに接合されている。これにより、第２弾性部材４９は、吸収性本体４０を長手方向Ｌに収縮させるように作用し、ギャザーを形成することができる。
【０１０２】
股下域Ｓ３における一対のギャザー４８どうしの距離は、股下域Ｓ３の第２拡幅開始点４８ｃから後胴回り域Ｓ２にかけて広がっており、後胴回り域Ｓ２における一対のギャザー４８どうしの距離は、前胴回り域Ｓ１における一対のギャザー４８どうしの距離よりも長いことが好ましい。なお、第２弾性部材４９が糸ゴムである場合、一対のギャザー４８どうしの距離は、幅方向Ｗの最も内側に配置された糸ゴムどうしの距離によって規定される。また、第２弾性部材４９が伸縮性のシートである場合、一対のギャザー４８どうしの距離は、伸縮性のシートの幅方向Ｗの最も内側縁どうしの距離によって規定される。
【０１０３】
ここで、第２拡幅開始点４８ｃは、長手方向Ｌの前方から後方に向かう方向に関する一対のギャザー４８どうしの距離の増加率が増加する点、すなわち変曲点に相当する。例えば、第２拡幅開始点４８ｃは、長手方向Ｌの前方から後方に向かうにつれて、一対のギャザー４８どうしの距離が広がり始める点であってもよい。また、第２拡幅開始点４８ｃは、一対のギャザー４８どうしの距離が所定の増加率で広がっている領域から、一対のギャザー４８どうしの距離が当該所定の増加率よりも高い増加率で広がり始める点であってもよい。
【０１０４】
このように一対のギャザー４８の形状は、一対の防漏カフ４６と形状と似ている。これにより、一対の防漏カフ４６と同様に、一対のギャザー４８を着用者の体型（脚回り）に合わせて適切に配置し易くなる。
【０１０５】
第２拡幅開始点４８ｃは、長手方向において防漏カフ４６の拡幅開始点４６ｃと同じ位置、又は近い位置に配置されていることが好ましい。例えば、第２拡幅開始点４８ｃは、拡幅開始点４６ｃから長手方向Ｌに好ましくは３ｃｍ、より好ましくは１．５ｃｍの範囲内に位置する。
【０１０６】
本実施形態において、吸収性物品１０の各部の「長さ」に関する数値は、サイド係止部６０を解除して展開した吸収性物品１０の皺（折り線ＦＬを除く）がなくなるまで吸収性物品を伸長させた伸長状態において計測される。
【０１０７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１０８】
例えば、上記実施形態では、吸収性本体４０は、前胴回り部材２０及び後胴回り部材３０と別体として構成されている。この代わりに、吸収性本体４０は、前胴回り域Ｓ１及び後胴回り域Ｓ２と一体に構成されていてもよい。
【０１０９】
また、上記実施形態では、吸収性物品１０は、サイド係止部６０を有するいわゆるパンツ型の吸収性物品である。この代わりに、吸収性物品１０は、テープ型の吸収性物品であってもよい。この場合、吸収性物品１０は、サイド係止部６０を有しておらず、前胴回り域Ｓ１と後胴回り域Ｓ２とを互いに着脱可能に固定するファスニングテープを有していてよい。
【産業上の利用可能性】
【０１１０】
防漏カフの位置を安定させ、着用者に与える違和感を緩和し、防漏カフの位置ズレに伴う排泄物の漏れを抑制することができる吸収性物品を提供することができる。
【符号の説明】
【０１１１】
１０    吸収性物品
２０    前胴回り部材
２２    前側伸縮領域
３０    後胴回り部材
３２    後側伸縮領域
４０    吸収性本体
４６    防漏カフ
４６ａ  起立支点
４６ｂ  起立頂点
４６ｃ  拡幅開始点
４８    ギャザー
５０    吸収体
６０    サイド係止部
Ｒ      接合部
Ｓ１    前胴回り域
Ｓ２    後胴回り域
Ｓ３    股下域
Ｌ      長手方向
Ｗ      幅方向
Ｔ      厚み方向
ＦＬ    折り線
【図１】
0006725544.tif 000002
【図２】
0006725544.tif 000003
【図３】
0006725544.tif 000004
【図４】
0006725544.tif 000005
【図５】
0006725544.tif 000006
【図６】
0006725544.tif 000007